(57)【要約】【課題】デッキプレート上に載置して安定的に自立し、デッキプレートの幅調整板のように山部がない場所や柱周りにも配設でき、さらにワイヤーメッシュを配筋用スペーサ上に載置するだけで高さを安定的に保持する配筋用スペーサを提供すること。【解決手段】デッキプレートＤＰ上に敷設されるワイヤーメッシュＷＭのメッシュ底面にハの字状に水平配置して前記ワイヤーメッシュを載置する第一鉄筋載置部１１１及び第二鉄筋載置部と１１２、前記第一鉄筋載置部１１１及び第二鉄筋載置部１１２の遠位端１１１ａ、１１２ａで前記デッキプレートＤＰに向けて立設する第一鉄筋支持脚部１２１及び第二鉄筋支持脚部１２２と、第一鉄筋載置部１１１及び第二鉄筋載置部１２１の近位端１１１ｂ、１１２ｂで前記デッキプレートＤＰに向けて立設する第三鉄筋支持脚部１２３とを備えた棒鋼からなる配筋用スペーサ。【選択図】図２
2017172148.tif 000002
【特許請求の範囲】
【請求項１】
デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなる配筋用スペーサであって、
前記第一鉄筋載置部と第二鉄筋載置部と第一鉄筋支持脚部と第二鉄筋支持脚部と第三鉄筋支持脚部とが、前記第一鉄筋支持脚部、第一鉄筋載置部、第三鉄筋支持脚部、第二鉄筋載置部、第二鉄筋支持脚部の配置順序で一連一体に構成されていることを特徴とする配筋用スペーサ。
【請求項２】
前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、
前記第一鉄筋支持脚部、第二鉄筋支持脚部、第三鉄筋支持脚部の脚部長さが、前記デッキプレートの山部高さより長いことを特徴とする請求項１記載の配筋用スペーサ。
【請求項３】
前記仮想三角形の底辺の長さが、前記ワイヤーメッシュの網目寸法の２倍より大きいことを特徴とする請求項２記載の配筋用スペーサ。
【請求項４】
デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなるとともに、前記第一鉄筋載置部と第二鉄筋載置部と第一鉄筋支持脚部と第二鉄筋支持脚部と第三鉄筋支持脚部とを、前記第一鉄筋支持脚部、第一鉄筋載置部、第三鉄筋支持脚部、第二鉄筋載置部、第二鉄筋支持脚部の配置順序で一連一体に構成した配筋用スペーサを用いた合成スラブの施工方法であって、
前記配筋用スペーサの第一鉄筋支持脚部と第二鉄筋支持脚部とを前記デッキプレートの山部の一方側に隣接する下フランジに載置して前記第一鉄筋支持脚部と第二鉄筋支持脚部とを前記山部を跨ぐように配置するとともに前記第三鉄筋支持脚部を前記山部の他方側の下フランジに載置することにより、
前記配筋用スペーサを前記デッキプレート上に等間隔に複数配設した後に、前記ワイヤーメッシュを載置して敷設し、次いで、コンクリートを打設することを特徴とする合成スラブの施工方法。
【発明の詳細な説明】
【技術分野】
【０００１】
本発明は、デッキプレート上で鉄筋を支持する配筋用スペーサに関するものであって、特に、合成スラブの施工時に使用されるひび割れ拡大防止用の鉄筋として敷設されるワイヤーメッシュをデッキプレートから離間した高さに支持する配筋用スペーサに関するものである。
【背景技術】
【０００２】
従来、合成スラブの施工時に使用される配筋用スペーサとして、デッキプレートの上フランジに載置しワイヤーメッシュを嵌合して用いるもの（特許文献１参照）、デッキプレートの山部に嵌合させて用いるもの（特許文献２参照）、直線状の載置部に逆Ｕ字状の脚部を設けたものであって、デッキプレートの下フランジにデッキ方向に沿って載置して用いられるもの（特許文献３参照）が知られている。
【先行技術文献】
【特許文献】
【０００３】
【特許文献１】特開２０１２―９７４１７号公報
【特許文献２】特開２０１０―１２１２７１号公報
【特許文献３】実用新案登録第３０２８０３８号公報
【発明の概要】
【発明が解決しようとする課題】
【０００４】
しかしながら、上述したような従来の配筋用スペーサのうち、デッキプレートの上フランジに載置して用いるものの場合には、スペーサがデッキプレートから転落しやすく、またデッキプレートの幅調整板のような山部がない場所には設置できず、デッキプレートの山部に嵌合させて用いるものの場合には、嵌合とその位置調整のために施工の効率性が損なわれ、またデッキプレートの幅調整板のような山部がない場所には設置できず、直線状の載置部に逆Ｕ字状の脚部を設けたものの場合には、スペーサ配設時および鉄筋載置時にスペーサが転倒しやすく、また柱周りに配設できないという問題があった。
【０００５】
そこで、本発明は、前述したような従来技術の問題を解決するものであって、すなわち、本発明の目的は、デッキプレート上に載置して安定的に自立させるとともにデッキプレートの幅調整板のような山部がない場所や柱周りにも配設することができ、また、ワイヤーメッシュを配筋用スペーサ上に載置するだけで高さを安定的に保持する配筋用スペーサを提供することである。
【課題を解決するための手段】
【０００６】
本請求項１に係る発明は、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなる配筋用スペーサであって、前記第一鉄筋載置部と第二鉄筋載置部と第一鉄筋支持脚部と第二鉄筋支持脚部と第三鉄筋支持脚部とが、前記第一鉄筋支持脚部、第一鉄筋載置部、第三鉄筋支持脚部、第二鉄筋載置部、第二鉄筋支持脚部の配置順序で一連一体に構成されていることにより、前述した課題を解決するものである。
【０００７】
本請求項２に係る発明は、請求項１に記載された配筋用スペーサの構成に加えて、前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長いことにより、前述した課題を解決するものである。
【０００８】
本請求項３に係る発明は、請求項２に記載された配筋用スペーサの構成に加えて、前記仮想三角形の底辺の長さが、前記ワイヤーメッシュの網目寸法の２倍より大きいことにより、前述した課題をさらに解決するものである。
【０００９】
本請求項４に係る発明は、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなるとともに、前記第一鉄筋載置部と第二鉄筋載置部と第一鉄筋支持脚部と第二鉄筋支持脚部と第三鉄筋支持脚部とを、前記第一鉄筋支持脚部、第一鉄筋載置部、第三鉄筋支持脚部、第二鉄筋載置部、第二鉄筋支持脚部の配置順序で一連一体に構成した配筋用スペーサを用いた合成スラブの施工方法であって、前記配筋用スペーサの第一鉄筋支持脚部と第二鉄筋支持脚部とを前記デッキプレートの山部の一方側に隣接する下フランジに載置して前記第一鉄筋支持脚部と第二鉄筋支持脚部とを前記山部を跨ぐように配置するとともに前記第三鉄筋支持脚部を前記山部の他方側の下フランジに載置することにより、前記配筋用スペーサを前記デッキプレート上に等間隔に複数配設した後に、前記ワイヤーメッシュを載置して敷設し、次いで、コンクリートを打設することにより、前述した課題をさらに解決するものである。
【発明の効果】
【００１０】
本発明の請求項１に係る配筋用スペーサによれば、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなることにより、三か所の鉄筋支持脚部により配筋用スペーサが安定的に自立するため、デッキプレートの幅調整板のように山部がない場所や柱周りにも配筋用スペーサを配設することができる。
【００１１】
本発明の請求項１に係る発明の配筋用スペーサによれば、第一鉄筋載置部と第二鉄筋載置部と第一鉄筋支持脚部と第二鉄筋支持脚部と第三鉄筋支持脚部とが、前記第一鉄筋支持脚部、第一鉄筋載置部、第三鉄筋支持脚部、第二鉄筋載置部、第二鉄筋支持脚部の配置順序で一連一体に構成されていることにより、高さが一定に維持されている第一鉄筋載置部及び第二鉄筋載置部でワイヤーメッシュを支持するため、配筋用スペーサ上に載置するだけでワイヤーメッシュを安定的に保持することができる。
【００１２】
本請求項２に係る発明の配筋用スペーサによれば、請求項１記載の発明が奏する効果に加えて、前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長いことにより、配筋用スペーサを配設する際に第一鉄筋載置部及び第二鉄筋載置部がデッキプレートの山部を跨ぎ、かつその山部の一方に隣接する下フランジに第一鉄筋支持脚部及び第二鉄筋支持脚部が載置されるとともに他方に隣接する下フランジに第三鉄筋支持脚部が載置されるため、容易に位置決めをし、安定位置に配設することができる。
【００１３】
本請求項３に係る発明の配筋用スペーサによれば、請求項２記載の発明が奏する効果に加えて、前記仮想三角形の底辺の長さが、前記ワイヤーメッシュの網目寸法の２倍より大きいことにより、ワイヤーメッシュを敷設する際に鉄筋載置部の２か所以上で支持するため、ワイヤーメッシュの高さを確実に維持することができる。
【００１４】
本請求項４に係る発明の合成スラブの施工方法によれば、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなるとともに、前記第一鉄筋載置部と第二鉄筋載置部と第一鉄筋支持脚部と第二鉄筋支持脚部と第三鉄筋支持脚部とを、前記第一鉄筋支持脚部、第一鉄筋載置部、第三鉄筋支持脚部、第二鉄筋載置部、第二鉄筋支持脚部の配置順序で一連一体に構成した配筋用スペーサを用いた合成スラブの施工方法であって、前記配筋用スペーサの第一鉄筋支持脚部と第二鉄筋支持脚部とを前記デッキプレートの山部の一方側に隣接する下フランジに載置して前記第一鉄筋支持脚部と第二鉄筋支持脚部とを前記山部を跨ぐように配置するとともに前記第三鉄筋支持脚部を前記山部の他方側の下フランジに載置することにより、前記配筋用スペーサを前記デッキプレート上に等間隔に複数配設した後に、前記ワイヤーメッシュを載置して敷設し、次いで、コンクリートを打設することにより、三か所の鉄筋支持脚部により配筋用スペーサが安定的に自立するため、デッキプレートの幅調整板のように山部がない場所や柱周りにも配筋用スペーサを配設し、高さが一定に維持されている第一鉄筋載置部及び第二鉄筋載置部でワイヤーメッシュを支持するため、配筋用スペーサ上に載置するだけでワイヤーメッシュを安定的に保持することができる。
【図面の簡単な説明】
【００１５】
【図１】本発明の配筋用スペーサをデッキプレート上に配設し、ワイヤーメッシュを敷設した態様の模式図。
【図２】本発明の配筋用スペーサをデッキプレート上に載置した状態を示す斜視図。
【図３】本発明の第一の実施例に係る配筋用スペーサを示す三面図。
【図４】本発明の配筋用スペーサとデッキプレートの寸法関係を示す説明図。
【図５】本発明の第二の実施例に係る配筋用スペーサを示す斜視図。
【発明を実施するための形態】
【００１６】
本発明は、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなる配筋用スペーサであって、前記第一鉄筋載置部と第二鉄筋載置部と第一鉄筋支持脚部と第二鉄筋支持脚部と第三鉄筋支持脚部とが、前記第一鉄筋支持脚部、第一鉄筋載置部、第三鉄筋支持脚部、第二鉄筋載置部、第二鉄筋支持脚部の配置順序で一連一体に構成されていることにより、三か所の鉄筋支持脚部により配筋用スペーサが安定的に自立し、高さが一定に維持されている第一鉄筋載置部及び第二鉄筋載置部でワイヤーメッシュを支持するため、デッキプレート隅の山部がない場所や柱周りにも配筋用スペーサを配設することができるとともに、配筋用スペーサ上に載置するだけでワイヤーメッシュを安定的に保持することができるものであれば、その具体的な実施態様は、如何なるものであっても構わない。
【００１７】
すなわち、本発明の配筋用スペーサ１００で採用する第一鉄筋載置部１１１及び第二鉄筋載置部１１２の具体的な形状については、デッキプレートの水平面と平行な棒状に形成されていれば、平面視で直線状に限られず、概略ハの字状となる範囲で任意の形状に屈曲形成されていて良い。
いずれの場合にも、第一鉄筋載置部の遠位端１１１ａ及び第二鉄筋載置部の遠位端１１２ａからデッキプレートに向けて垂接された第一鉄筋支持脚部１２１および第二鉄筋支持脚部１２２と第三鉄筋支持脚部１２３の３ヶ所で、所謂、３点支持状態で自立させることができるため、配筋用スペーサ１００が転倒しにくく安定性が高い。
【００１８】
第一鉄筋支持脚部１２１及び第二鉄筋支持脚部１２２を結ぶ線を底辺とし第三鉄筋支持脚部１２３を頂点とする仮想三角形ＶＴのうち最大の仮想三角形の底辺の長さが、使用するワイヤーメッシュＷＭの網目寸法Ｓよりも大きくなるように、第一鉄筋支持脚部１２１、第二鉄筋支持脚部１２２及び第三鉄筋支持脚部１２３を形成すれば、縦横に配筋用スペーサ１００を複数配置する通常の使用方法において、一つの配筋用スペーサ１００が複数個所でワイヤーメッシュＷＭを支持し脱落が起きないため所要のかぶり厚さを確保することができ、好ましい。
上記仮想三角形ＶＴの底辺の長さを、使用するワイヤーメッシュＷＭの網目寸法Ｓの２倍の長さよりも大きく設定すれば、一つの配筋用スペーサ１００が一層確実に複数個所でワイヤーメッシュＷＭを支持し脱落が起きないため、より一層好ましい。
【００１９】
本発明で採用する第一鉄筋支持脚部１２１及び第二鉄筋支持脚部１２２の具体的な形状、構造については、第一鉄筋載置部の遠位端１１１ａ及び第二鉄筋載置部の遠位端１１２ａでそれぞれ前記デッキプレートＤＰに向けて立設されていれば、如何なるものであっても構わない。
例えば、第一鉄筋支持脚部１２１及び第二鉄筋支持脚部１２２は、第一鉄筋載置部１１１及び第二鉄筋載置部１１２を棒鋼から形成し、第一鉄筋載置部の遠位端１１１ａ及び第二鉄筋載置部の遠位端１１２ａで直角に曲げて形成してもよい。
【００２０】
一方、第三鉄筋支持脚部１２３の具体的な形状、構造は、第一鉄筋載置部の近位端１１１ｂ及び第二鉄筋載置部の近位端１１２ｂでそれぞれ前記デッキプレートＤＰに向けて立設していれば、如何なるものであっても構わない。
例えば、図２に記載のように、最下部がＵ字型になるよう連接させたものでもよく、この場合、第一鉄筋載置部、第二鉄筋載置部及び第三鉄筋支持脚部を一連一体に、一本の棒鋼から曲げ加工のみで形成することができる。
【００２１】
また、第三鉄筋支持脚部は、図４に示すように、第一鉄筋載置部の近位端１１１ｂ及び第二鉄筋載置部の近位端１１２ｂで前記デッキプレートＤＰに向けてそれぞれ立設させた上で一体に結合させて形成してもよい。例えば、第一鉄筋載置部１１１及び第二鉄筋載置部１１２を棒鋼から形成し、第一鉄筋載置部の近位端１１１ｂ及び第二鉄筋載置部の近位端１１２ｂにおいて直角に曲げて立設させ、それらをスポット溶接により一体に結合させて第三鉄筋支持脚部１２３’を形成してもよい。
【００２２】
本発明で採用する第一鉄筋支持脚部１２１、第二鉄筋支持脚部１２２及び第三鉄筋支持脚部１２３の脚部長さｈは、図３に示すようにデッキプレートの山部高さＨからデッキプレートの表示厚さｔを差し引いた長さ（Ｈ−ｔ）よりも大きく形成するのが好ましい。
このような寸法関係になっていれば、第一鉄筋載置部１１１及び第二鉄筋載置部１１２がデッキプレートＤＰの上フランジＵＦに接触することなく山部ＰＰを跨ぎ、かつその山部ＰＰの一方に隣接する下フランジＤＦに第一鉄筋支持脚部１２１及び第二鉄筋支持脚部１２２が載置されるとともに他方に隣接する下フランジＤＦに第三鉄筋支持脚部１２３が載置されるため、容易に位置決めをし、安定的に配設することができるからである。
【００２３】
本発明で採用する第一鉄筋支持脚部１２１、第二鉄筋支持脚部１２２及び第三鉄筋支持脚部１２３は、図３に示すように第一鉄筋支持脚部１２１及び第二鉄筋支持脚部１２２を結ぶ線を底辺とし前記第三鉄筋支持脚部１２３を頂点とする仮想三角形ＶＴの高さＬが、デッキプレートＤＰの山部幅Ｗ１よりも大きく形成されているのが好ましい。特に、このような仮想三角形ＶＴのうち、各鉄筋支持脚部の相互に最も近い点を結んで想定される最小の仮想三角形の高さＬ１が、図４に示すようにデッキプレートＤＰの山部幅Ｗ１よりも大きく形成されているのが好ましい。
【００２４】
このような寸法関係になっていれば、第一鉄筋載置部１１１及び第二鉄筋載置部１１２がデッキプレートＤＰの上フランジＵＦに接触することなく山部ＰＰを跨ぎ、第一鉄筋支持脚部１２１および第二鉄筋支持脚部１２２をデッキプレートの山部ＰＰの一方に隣接する下フランジＤＦに、第三鉄筋支持脚部１２３を山部ＰＰの他方に隣接する下フランジＤＦに載置し、第一鉄筋載置部及び第二鉄筋載置部がデッキプレートＤＰの山部ＰＰを跨ぐように安定的に配設することができるからである。
また、配筋用スペーサ１００をデッキプレートに配設する際に、いずれかの鉄筋支持脚部がウェブＤＷに当接した場合には、鉄筋支持脚部がウェブＤＷの傾斜面に沿って下フランジＤＦ上の安定位置まで滑り落ちるに任せればよいため、配設作業を極めて容易に行うことができる。
【００２５】
なお、デッキプレートＤＰの山部幅Ｗ１は、一般的なデッキプレートの寸法表示である単位幅Ｂと溝下寸法ｂとにより、Ｗ１＝Ｂ−ｂと換算することができる。
【００２６】
さらに、本発明で採用する第一鉄筋支持脚部、第二鉄筋支持脚部及び第三鉄筋支持脚部は、図３に示すように第一鉄筋支持脚部及び第二鉄筋支持脚部を結ぶ線を底辺とし前記第三鉄筋支持脚部を頂点とする仮想三角形ＶＴの高さＬが、山部ＰＰの両側にそれぞれ隣接する二つの下フランジの最大幅Ｗ２よりも小さく形成されているのが好ましい。特に、このような仮想三角形ＶＴのうち、各鉄筋支持脚部の相互に最も遠い点を結んで想定される最大の仮想三角形の高さＬ２が、図４に示すように山部ＰＰの両側にそれぞれ隣接する二つの下フランジＤＦの最大幅Ｗ２よりも小さく形成されているのが好ましい。
【００２７】
このような寸法関係になっていれば、各鉄筋支持脚部がデッキプレートＤＰのウェブＤＷに接触することなく、第一鉄筋支持脚部および第二鉄筋支持脚部をデッキプレートＤＰの山部ＰＰの一方に隣接する下フランジＤＦに、第三鉄筋支持脚部を山部ＰＰの他方に隣接する下フランジＤＦに載置し、デッキプレートＤＰの山部ＰＰを跨ぐように安定的に配設することができるからである。
また、配筋スペーサをデッキプレートに配設する際に、いずれかの鉄筋支持脚部がウェブに当接した場合には、鉄筋支持脚部がウェブの傾斜面に沿って下フランジＤＦ上の安定位置まで滑り落ちるに任せればよいため、配筋用スペーサ１００の配設作業を極めて容易に行うことができる。
【００２８】
なお、山部ＰＰの両側にそれぞれ隣接する二つの下フランジＤＦの最大幅Ｗ２は、一般的なデッキプレートの寸法表示である単位幅Ｂと溝下寸法ｂとにより、Ｗ２＝Ｂ＋ｂと換算することができる。
【００２９】
下フランジＤＦに凸条ＲＬが形成されて平坦でない場合は、仮想三角形ＶＴの高さＬは、この凸条ＲＬを避けて配設することができる寸法関係に形成することが好ましい。配筋用スペーサ１００の配設時にいずれかの鉄筋支持脚部が凸条ＲＬの上に載置されると、第一鉄筋載置部１１１及び第二鉄筋載置部１１２が傾斜してワイヤーメッシュＷＭを支持する高さが一様でなくなり、また、配筋用スペーサ１００が凸条ＲＬからずれ落ちてワイヤーメッシュＷＭを支持する高さが変化する不都合が発生するためである。
【００３０】
本発明の配筋用スペーサ１００は、棒鋼を加工するだけで必要な強度を実現しつつ容易に製造できる。素材となる鋼製の棒材としては、丸鋼や異形鉄筋を使用することができる。
【００３１】
本発明の配筋用スペーサ１００が支持するひび割れ拡大防止用の鉄筋としては、溶接金網または鉄筋格子、すなわち、予め複数の鉄筋または鉄線を縦横に格子状に配置してスポット溶接またはワイヤによる締結等により一体としたいわゆるユニット鉄筋やワイヤーメッシュが好ましいが、施工現場で複数の鉄筋を格子状等に直組みしたものであっても構わない。本特許明細書においては、これらの代表としてワイヤーメッシュＷＭを用いて説明している。
【００３２】
本発明の配筋用スペーサ１００が支持するワイヤーメッシュＷＭは、その網目寸法Ｓが５０ｍｍ、７５ｍｍ、１００ｍｍ、１５０ｍｍ、２００ｍｍ、２５０ｍｍまたは３００ｍｍであるものを用いることができるが、これに限らない。
【００３３】
本発明の配筋用スペーサ１００を使用して合成スラブを施工する際には、デッキプレート上に配筋用スペーサ１００を概ね一定間隔で複数配設する。この間隔は、上記網目寸法Ｓの整数倍とすることが望ましく、通常は３倍乃至５倍程度であるが、この間隔の間で鉄筋が撓んでも所用のかぶり厚さを確保できる限り、任意の間隔で配設することができる。
【実施例１】
【００３４】
以下に、本発明の一実施例である配筋用スペーサ１００について、図１乃至図４に基づいて説明する。
ここで、図１は本発明の配筋用スペーサをデッキプレート上に配設し、ワイヤーメッシュを敷設した態様の模式図、図２は本発明の配筋用スペーサをデッキプレート上に載置した状態を示す斜視図、図３は本発明の第一の実施例に係る配筋用スペーサを示す三面図、図４は本発明の配筋用スペーサとデッキプレートの寸法関係を示す説明図である。
【００３５】
本実施例である配筋用スペーサ１００は、図１に示すように、デッキプレートの上面に複数の配筋用スペーサ１００を９００ｍｍ間隔に配置し、さらに第一鉄筋載置部１１１及び第二鉄筋載置部１１２上にワイヤーメッシュＷＭを載置することにより、合成スラブを施工するためにコンクリートを打設する際に、デッキプレートからの高さを確保してワイヤーメッシュＷＭを敷設することに用いるものである。
【００３６】
具体的に、本実施例の配筋用スペーサ１００は、鋼製であって、図２及び図３に示すように、直径１０ｍｍの丸棒材に曲げ加工を施して構成している。
丸い棒材からなる第一鉄筋載置部の遠位端１１１ａから第一鉄筋支持脚部１２１がデッキプレートＤＰに向けて立設されるとともに、第二鉄筋載置部の遠位端１１２ａから第二鉄筋支持脚部１２２がデッキプレートＤＰに向けて立設されている。
第三鉄筋支持脚部１２３は、第一鉄筋載置部及び第二鉄筋載置部の近位端で前記デッキプレートに向けて３０ｍｍの間隔で立設されており、さらにその最下部のデッキプレートＤＰに当接する部位でＵ字型を成すように連接されている。
【００３７】
第一鉄筋支持脚部、第二鉄筋支持脚部、第三鉄筋支持脚部の脚部長さｈはいずれも７０ｍｍであり、また第一鉄筋載置部１１１および第二鉄筋載置部１１２の長さはそれぞれ３１０ｍｍであり、第一鉄筋支持脚部及び第二鉄筋支持脚部を結ぶ線を底辺とし第三鉄筋支持脚部を頂点とする仮想三角形ＶＴのうち、各鉄筋支持脚部の相互に最も近い点を結んで想定される最小の仮想三角形ＶＴの高さＬ１が２１０ｍｍ、上記の仮想三角形ＶＴのうち、各鉄筋支持脚部の相互に最も遠い点を結んで想定される最大の仮想三角形ＶＴの高さＬ２が２３０ｍｍである。
また、最大の仮想三角形ＶＴの底辺の長さが４５０ｍｍとなるように構成されている。
【００３８】
以下、本実施例の配筋用スペーサ１００を使用して合成スラブを施工する際の手順を説明する。
【００３９】
本実施例において用いられるデッキプレートＤＰは、いわゆる溝広タイプ５０と呼ばれているもので、その寸法は、山部高さＨ＝５０（ｍｍ）、単位幅Ｂ＝３００（ｍｍ）、溝下寸法ｂ＝１２５（ｍｍ）、表示厚さｔ＝１．２（ｍｍ）、山部幅Ｗ１＝１７５（ｍｍ）である。
合成スラブの施工では、まずデッキプレート工事として、デッキプレートを施工現場に搬入し、敷き込み、梁との接合、小口ふさぎ等を行った後に配筋工事を行う。
【００４０】
配筋工事においては、図１に示すように、本実施例に係る配筋用スペーサ１００をデッキプレートＤＰの山部ＰＰに対して３つ目毎に９００ｍｍ間隔で配置し、デッキ方向も同じ間隔で配置することにより、配筋用スペーサ１００を配設する。この際、図４に示すように、各鉄筋支持脚部がデッキプレートのウェブに接触することなく、第一鉄筋支持脚部１２１および第二鉄筋支持脚部１２２をデッキプレートの山部ＰＰの一方側に隣接する下フランジＤＦに、第三鉄筋支持脚部１２３を山部ＰＰの他方側に隣接する下フランジＤＦに載置し、第一鉄筋載置部及び第二鉄筋載置部がデッキプレートＤＰの山部ＰＰを跨ぐように安定的に配設する。
さらに、各鉄筋支持脚部の載置位置は、デッキプレートＤＰの下フランジＤＦに形成されている凸条ＲＬの上を避けて決定する。
【００４１】
次に、等間隔で配設されている配筋用スペーサ１００の上に、直径６（ｍｍ）の丸鋼からなり網目寸法Ｓ＝１５０（ｍｍ）のワイヤーメッシュＷＭを、重ね長さ３００ｍｍで敷設し継ぎ手部の処理を行う。
【００４２】
配筋工事の後にコンクリート工事を行う。コンクリート工事としてコンクリートの打ち込みと養生を行ってコンクリート層ＲＣを形成し、合成スラブが完成する。
【実施例２】
【００４３】
以下に、本発明の第二の実施例である配筋用スペーサ１００’について、図５に基づいて説明する。図５は本発明の第二の実施例である配筋用スペーサ１００’を示す斜視図である。
【００４４】
本実施例に係る配筋用スペーサ１００’は、第三鉄筋支持脚部１２３’の具体的な構成が異なる以外は、実施例１に係る配筋用スペーサ１００と同様に構成している。
第三鉄筋支持脚部１２３’は、図４に示すように、第一鉄筋載置部の近位端及び第二鉄筋載置部の近位端からそれぞれ立設させて形成し、さらに脚部長さにわたり相互に結合させることにより形成している。より具体的には、丸棒材から形成した第一鉄筋載置部１１１の近位端１１１ｂ及び第二鉄筋載置部１１２の近位端１１２ｂをそれぞれ直角に曲げて垂下させ、これらをスポット溶接により一体化させて第三鉄筋支持脚部１２３’としている。
【００４５】
以上説明したように、本発明の配筋用スペーサおよび合成スラブの施工方法によれば、三か所の鉄筋支持脚部により配筋用スペーサが安定的に自立するため、デッキプレートの幅調整板のように山部がない場所や柱周りにも配筋用スペーサを配設することができる。
【００４６】
しかも、高さが一定に維持されている第一鉄筋載置部及び第二鉄筋載置部でワイヤーメッシュを支持するため、配筋用スペーサ上に載置するだけでワイヤーメッシュを安定的に保持することができ、その効果は甚大である。
【符号の説明】
【００４７】
１００，１００’・・・配筋用スペーサ
１１１・・・・・・・第一鉄筋載置部
１１１ａ・・・・・・第一鉄筋載置部の遠位端
１１１ｂ・・・・・・第一鉄筋載置部の近位端
１１２・・・・・・・第二鉄筋載置部
１１２ａ・・・・・・第二鉄筋載置部の遠位端
１１２ｂ・・・・・・第二鉄筋載置部の近位端
１２１・・・・・・・第一鉄筋支持脚部
１２２・・・・・・・第二鉄筋支持脚部
１２３，１２３’・・・第三鉄筋支持脚部
ｈ・・・・・・・・・脚部長さ
ＶＴ・・・・・・・・仮想三角形
Ｌ・・・・・・・・・仮想三角形の高さ
Ｌ１・・・・・・・・最小の仮想三角形の高さ
Ｌ２・・・・・・・・最大の仮想三角形の高さ
ＤＰ・・・・・・・・デッキプレート
ＵＦ・・・・・・・・上フランジ
ＤＷ・・・・・・・・ウェブ
ＰＰ・・・・・・・・山部
ＵＦ・・・・・・・・下フランジ
ＲＬ・・・・・・・・凸条
Ｂ・・・・・・・・・単位幅
ｂ・・・・・・・・・溝下寸法
ｔ・・・・・・・・・表示厚さ
Ｈ・・・・・・・・・山部高さ
Ｗ１・・・・・・・・山部幅
Ｗ２・・・・・・・・山部の両側にそれぞれ隣接する二つの下フランジの最大幅
ＷＭ・・・・・・・・ワイヤーメッシュ
Ｓ・・・・・・・・・網目寸法
ＲＣ・・・・・・・・コンクリート層
【図１】
2017172148.tif 000003
【図２】
2017172148.tif 000004
【図３】
2017172148.tif 000005
【図４】
2017172148.tif 000006
【図５】
2017172148.tif 000007
【手続補正書】
【提出日】平成29年4月26日(2017.4.26)
【手続補正１】
【補正対象書類名】明細書
【補正対象項目名】０００６
【補正方法】変更
【補正の内容】
【０００６】
本請求項１に係る発明は、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなる配筋用スペーサであって、前記第一鉄筋載置部と第二鉄筋載置部と第一鉄筋支持脚部と第二鉄筋支持脚部と第三鉄筋支持脚部とが、前記第一鉄筋支持脚部、第一鉄筋載置部、第三鉄筋支持脚部、第二鉄筋載置部、第二鉄筋支持脚部の配置順序で一連一体に構成され、前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長いことにより、前述した課題を解決するものである。
【手続補正２】
【補正対象書類名】明細書
【補正対象項目名】０００７
【補正方法】変更
【補正の内容】
【０００７】
本請求項２に係る発明は、請求項１に記載された配筋用スペーサの構成に加えて、前記仮想三角形の高さが、前記デッキプレートの山部の両側にそれぞれ隣接する二つの下フランジの最大幅よりも小さく形成されていることにより、前述した課題を解決するものである。
【手続補正３】
【補正対象書類名】明細書
【補正対象項目名】０００８
【補正方法】変更
【補正の内容】
【０００８】
本請求項３に係る発明は、請求項１または請求項２に記載された配筋用スペーサの構成に加えて、前記
仮想三角形の底辺の長さが、前記ワイヤーメッシュの網目寸法の２倍より大きいことによ
り、前述した課題をさらに解決するものである。
【手続補正４】
【補正対象書類名】明細書
【補正対象項目名】０００９
【補正方法】変更
【補正の内容】
【０００９】
本請求項４に係る発明は、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなるとともに、前記第一鉄筋載置部と第二鉄筋載置部と第一鉄筋支持脚部と第二鉄筋支持脚部と第三鉄筋支持脚部とを、前記第一鉄筋支持脚部、第一鉄筋載置部、第三鉄筋支持脚部、第二鉄筋載置部、第二鉄筋支持脚部の配置順序で一連一体に構成し、前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長い配筋用スペーサを用いた合成スラブの施工方法であって、前記配筋用スペーサの第一鉄筋支持脚部と第二鉄筋支持脚部とを前記デッキプレートの山部の一方側に隣接する下フランジに載置して前記第一鉄筋載置部と第二鉄筋載置部とを前記山部を跨ぐように配置するとともに前記第三鉄筋支持脚部を前記山部の他方側の下フランジに載置することにより、前記配筋用スペーサを前記デッキプレート上に等間隔に複数配設した後に、前記ワイヤーメッシュを載置して敷設し、次いで、コンクリートを打設することにより、前述した課題をさらに解決するものである。
【手続補正５】
【補正対象書類名】明細書
【補正対象項目名】００１１
【補正方法】変更
【補正の内容】
【００１１】
本発明の請求項１に係る発明の配筋用スペーサによれば、第一鉄筋載置部と第二鉄筋載
置部と第一鉄筋支持脚部と第二鉄筋支持脚部と第三鉄筋支持脚部とが、前記第一鉄筋支持
脚部、第一鉄筋載置部、第三鉄筋支持脚部、第二鉄筋載置部、第二鉄筋支持脚部の配置順
序で一連一体に構成されていることにより、高さが一定に維持されている第一鉄筋載置部
及び第二鉄筋載置部でワイヤーメッシュを支持するため、配筋用スペーサ上に載置するだ
けでワイヤーメッシュを安定的に保持することができる。
また、本発明の請求項１に係る発明の配筋用スペーサによれば、前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長いことにより、配筋用スペーサを配設する際に第一鉄筋載置部及び第二鉄筋載置部がデッキプレートの山部を跨ぎ、かつその山部の一方に隣接する下フランジに第一鉄筋支持脚部及び第二鉄筋支持脚部が載置されるとともに他方に隣接する下フランジに第三鉄筋支持脚部が載置されるため、容易に位置決めをし、安定位置に配設することができる。
【手続補正６】
【補正対象書類名】明細書
【補正対象項目名】００１２
【補正方法】変更
【補正の内容】
【００１２】
本発明の請求項２に係る発明の配筋用スペーサによれば、請求項１載の発明が奏する効果に加えて、前記仮想三角形の高さが、前記デッキプレートの山部の両側にそれぞれ隣接する二つの下フランジの最大幅よりも小さく形成されていることにより、各鉄筋支持脚部がデッキプレートのウェブに接触することなく、第一鉄筋支持脚部および第二鉄筋支持脚部をデッキプレートの山部の一方に隣接する下フランジに、第三鉄筋支持脚部を山部の他方に隣接する下フランジに載置し、デッキプレートの山部を跨ぐように安定的に配設することができ、また、配筋スペーサをデッキプレートに配設する際に、いずれかの鉄筋支持脚部がウェブに当接した場合には、鉄筋支持脚部がウェブの傾斜面に沿って下フランジ上の安定位置まで滑り落ちるに任せればよいため、配筋用スペーサの配設作業を極めて容易に行うことができる。
【手続補正７】
【補正対象書類名】明細書
【補正対象項目名】００１３
【補正方法】変更
【補正の内容】
【００１３】
本発明の請求項３に係る配筋用スペーサによれば、請求項１記載または請求項２の発明が奏する効果に加えて、前記仮想三角形の底辺の長さが、前記ワイヤーメッシュの網目寸法の２倍より大きいことにより、ワイヤーメッシュを敷設する際に鉄筋載置部の２か所以上で支持するため、ワイヤーメッシュの高さを確実に維持することができる。
【手続補正８】
【補正対象書類名】明細書
【補正対象項目名】００１４
【補正方法】変更
【補正の内容】
【００１４】
本請求項４に係る発明の合成スラブの施工方法によれば、デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなるとともに、前記第一鉄筋載置部と第二鉄筋載置部と第一鉄筋支持脚部と第二鉄筋支持脚部と第三鉄筋支持脚部とを、前記第一鉄筋支持脚部、第一鉄筋載置部、第三鉄筋支持脚部、第二鉄筋載置部、第二鉄筋支持脚部の配置順序で一連一体に構成し、前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長い配筋用スペーサを用いた合成スラブの施工方法であって、前記配筋用スペーサの第一鉄筋支持脚部と第二鉄筋支持脚部とを前記デッキプレートの山部の一方側に隣接する下フランジに載置して前記第一鉄筋載置部と第二鉄筋載置部とを前記山部を跨ぐように配置するとともに前記第三鉄筋支持脚部を前記山部の他方側の下フランジに載置することにより、前記配筋用スペーサを前記デッキプレート上に等間隔に複数配設した後に、前記ワイヤーメッシュを載置して敷設し、次いで、コンクリートを打設することにより、三か所の鉄筋支持脚部により配筋用スペーサが安定的に自立するため、デッキプレートの幅調整板のように山部がない場所や柱周りにも配筋用スペーサを配設し、高さが一定に維持されている第一鉄筋載置部及び第二鉄筋載置部でワイヤーメッシュを支持するため、配筋用スペーサ上に載置するだけでワイヤーメッシュを安定的に保持することができる。
また、第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、前記第一鉄筋支持脚部、第二鉄筋支持脚部、第三鉄筋支持脚部の脚部長さが、前記デッキプレートの山部高さより長いことにより、配筋用スペーサを配設する際に第一鉄筋載置部及び第二鉄筋載置部がデッキプレートの山部を跨ぎ、かつその山部の一方に隣接する下フランジに第一鉄筋支持脚部及び第二鉄筋支持脚部が載置されるとともに他方に隣接する下フランジに第三鉄筋支持脚部が載置されるため、容易に位置決めをし、安定位置に配設することができる。
【手続補正９】
【補正対象書類名】特許請求の範囲
【補正対象項目名】全文
【補正方法】変更
【補正の内容】
【特許請求の範囲】
【請求項１】
デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなる配筋用スペーサであって、
前記第一鉄筋載置部と第二鉄筋載置部と第一鉄筋支持脚部と第二鉄筋支持脚部と第三鉄筋支持脚部とが、前記第一鉄筋支持脚部、第一鉄筋載置部、第三鉄筋支持脚部、第二鉄筋載置部、第二鉄筋支持脚部の配置順序で一連一体に構成され、
前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、
前記第一鉄筋支持脚部、第二鉄筋支持脚部、第三鉄筋支持脚部の脚部長さが、前記デッキプレートの山部高さより長いことを特徴とする配筋用スペーサ。
【請求項２】
前記仮想三角形の高さが、前記デッキプレートの山部の両側にそれぞれ隣接する二つの下フランジの最大幅よりも小さく形成されていることを特徴とする請求項１に記載の配筋用スペーサ。
【請求項３】
前記仮想三角形の底辺の長さが、前記ワイヤーメッシュの網目寸法の２倍より大きいことを特徴とする請求項１または請求項２に記載の配筋用スペーサ。
【請求項４】
デッキプレート上に敷設されるワイヤーメッシュのメッシュ底面にハの字状に水平配置して前記ワイヤーメッシュを載置する第一鉄筋載置部及び第二鉄筋載置部と、前記第一鉄筋載置部及び第二鉄筋載置部の遠位端で前記デッキプレートに向けて立設する第一鉄筋支持脚部及び第二鉄筋支持脚部と、第一鉄筋載置部及び第二鉄筋載置部の近位端で前記デッキプレートに向けて立設する第三鉄筋支持脚部とを備えた棒鋼からなるとともに、前記第一鉄筋載置部と第二鉄筋載置部と第一鉄筋支持脚部と第二鉄筋支持脚部と第三鉄筋支持脚部とを、前記第一鉄筋支持脚部、第一鉄筋載置部、第三鉄筋支持脚部、第二鉄筋載置部、第二鉄筋支持脚部の配置順序で一連一体に構成し、
前記第一鉄筋支持脚部、第二鉄筋支持脚部、第三鉄筋支持脚部が、前記第一鉄筋支持脚部と第二鉄筋支持脚部とを結ぶ線を底辺として前記第三鉄筋支持脚部を頂点とする仮想三角形の高さが前記デッキプレートの山部幅より大きくなるように配置され、
前記第一鉄筋支持脚部、第二鉄筋支持脚部、第三鉄筋支持脚部の脚部長さが、前記デッキプレートの山部高さより長い配筋用スペーサを用いた合成スラブの施工方法であって、
前記配筋用スペーサの第一鉄筋支持脚部と第二鉄筋支持脚部とを前記デッキプレートの山部の一方側に隣接する下フランジに載置して前記第一鉄筋載置部と第二鉄筋載置部とを前記山部を跨ぐように配置するとともに前記第三鉄筋支持脚部を前記山部の他方側の下フランジに載置することにより、
前記配筋用スペーサを前記デッキプレート上に等間隔に複数配設した後に、前記ワイヤーメッシュを載置して敷設し、次いで、コンクリートを打設することを特徴とする合成スラブの施工方法。